(57)【要約】【課題】夜間や暗い所でも調整等の作業を効率的に行うことができ、且つ、部品点数を増加させることなく無駄な電力消費を抑えることができる電子機器を提供する。【解決手段】電子機器は、開口部を有する筐体１と、前記開口部を開閉可能な蓋２と、電子回路と、照度センサー３と、機器稼働中は常時点灯するパイロットランプ用ＬＥＤ４と、前記電子回路を調整するための操作部（ボリューム６、スイッチ７）と、前記操作部を照明するための照明用ＬＥＤとを備える。蓋２が閉じている状態である場合には、前記照明用ＬＥＤが消灯し、蓋２が開いている状態で機器周囲が所定の明るさ以上である場合には、前記照明用ＬＥＤが消灯し、蓋２が開いている状態で機器周囲が所定の明るさ未満である場合には、前記照明用ＬＥＤが点灯する。【選択図】図１
2011160102.tif 000002
【特許請求の範囲】
【請求項１】
開口部を有する筐体と、
前記開口部を開閉可能な蓋と、
電子回路と、
照度センサーと、
機器稼働中は常時点灯する光源と、
前記電子回路を調整するための操作部と、
前記操作部を照明するための照明用光源と、
前記照度センサーの出力に応じて前記照明用光源の輝度を調整する照明調整部とを備え、
前記電子回路、前記光源、前記照度センサー、前記操作部、前記照明用光源、前記照明調整部が前記筐体の内部に収納され、
前記蓋が閉じている状態である場合には、前記蓋が開いている状態で機器周囲が所定の明るさ未満である場合に比べて、前記照度センサーによって検知される照度が大きくなり、前記照明調整部が前記照明用光源の輝度を低くし、
前記蓋が開いている状態で機器周囲が所定の明るさ以上である場合には、前記蓋が開いている状態で機器周囲が所定の明るさ未満である場合に比べて、前記照度センサーによって検知される照度が大きくなり、前記照明調整部が前記照明用光源の輝度を低くすることを特徴とする電子機器。
【請求項２】
前記蓋が閉じている状態である場合には、前記照明調整部が前記照明用光源を消灯させ、
前記蓋が開いている状態で機器周囲が所定の明るさ以上である場合には、前記照明調整部が前記照明用光源を消灯させる請求項１に記載の電子機器。
【請求項３】
前記照度センサーの出力に応じて前記光源の輝度を調整する調整部を備え、
前記調整部が前記筐体の内部に収納され、
前記蓋が開いている状態で機器周囲が所定の明るさ未満である場合には、前記蓋が閉じている状態である場合に比べて、前記照度センサーによって検知される照度が小さくなり、前記調整部が前記光源の輝度を低くする請求項１または請求項２に記載の電子機器。
【請求項４】
前記蓋が開いている状態において前記照明用光源から照射された光が前記照度センサーに入射することを防止する部材を前記筐体の内部に設ける請求項１または請求項２に記載の電子機器。
【発明の詳細な説明】
【技術分野】
【０００１】
本発明は、電子機器に関し、特に、開口部を有する筐体と、前記開口部を開閉可能な蓋とを備え、前記筐体が電子回路を内部に収納する電子機器に関する。
【背景技術】
【０００２】
一般的なブースターは、開口部を有する筐体と、前記開口部を開閉可能な蓋とを備え、前記筐体が電子回路を内部に収納する構成であって、設置時や保守点検時に前記電子回路の調整等の作業が行われる。
【０００３】
当該調整等の作業は夜間や暗い所で行われることがある。この場合、視認性が悪く手探りで作業を行うことが多く、作業性が悪くなる。懐中電灯やヘッドランプを用いることにより視認性を改善することができるが、作業員が作業現場に携行する装備に懐中電灯やヘッドランプを加えなければならず、装備が増加する。また、懐中電灯を用いる場合、作業員が片手で懐中電灯を持ち、もう一方の手で作業を行わなければならないため、視認性が改善されても作業性の大幅な向上は見込めない。
【０００４】
このような問題点を解決することができる中継増幅器（ブースター）が特許文献１で提案されている。特許文献１で提案されている中継増幅器（ブースター）は、蓋が開放されると、前記蓋が開放されたことを検知手段が検知し、照明手段が点灯し、筐体内部を照明する構成であるので、夜間や暗い所で調整等の作業を行う場合でも、手探りで作業を行う必要がなく、しかも懐中電灯等を手にもって作業員が作業をする必要がなく、作業性を向上させることができる。
【０００５】
また、特許文献１で提案されている中継増幅器（ブースター）は、さらに、中継増幅器（ブースター）の前記筐体内に光センサーと制御手段を設け、前記蓋が開放されたことを前記検知手段が検知し、且つ、前記光センサーが光を非検知のときにのみ前記制御手段が前記照明手段を作動させることにより、昼間に作業を行う場合即ち照明する必要がない場合に前記照明手段が点灯することを防止し、無駄な電力消費を抑えることができる。
【先行技術文献】
【特許文献】
【０００６】
【特許文献１】特開２００２−６４４１７号公報（要約、段落０００８、及び段落０００９）
【発明の概要】
【発明が解決しようとする課題】
【０００７】
しかしながら、特許文献１で提案されている中継増幅器（ブースター）は、無駄な電力消費を抑えるために、蓋が開放されたことを検知する検知手段とは別に光センサーを設ける構成であるので、無駄な電力消費を抑えるために部品点数の増加が必要であるという課題を有している。
【０００８】
このような課題は、ブースターに限らず、開口部を有する筐体と、前記開口部を開閉可能な蓋とを備え、前記筐体が電子回路を内部に収納する電子機器全般に共通する課題である。
【０００９】
本発明は、上記の状況に鑑み、夜間や暗い所でも調整等の作業を効率的に行うことができ、且つ、部品点数を増加させることなく無駄な電力消費を抑えることができる電子機器を提供することを目的とする。
【課題を解決するための手段】
【００１０】
上記目的を達成するために本発明に係る電子機器は、開口部を有する筐体と、前記開口部を開閉可能な蓋と、電子回路と、照度センサーと、機器稼働中は常時点灯する光源と、前記電子回路を調整するための操作部と、前記操作部を照明するための照明用光源と、前記照度センサーの出力に応じて前記照明用光源の輝度を調整する照明調整部とを備え、前記電子回路、前記光源、前記照度センサー、前記操作部、前記照明用光源、前記照明調整部が前記筐体の内部に収納され、前記蓋が閉じている状態である場合には、前記蓋が開いている状態で機器周囲が所定の明るさ未満である場合に比べて、前記照度センサーによって検知される照度が大きくなり、前記照明調整部が前記照明用光源の輝度を低くし、前記蓋が開いている状態で機器周囲が所定の明るさ以上である場合には、前記蓋が開いている状態で機器周囲が所定の明るさ未満である場合に比べて、前記照度センサーによって検知される照度が大きくなり、前記照明調整部が前記照明用光源の輝度を低くする構成（第１の構成）とする。
【００１１】
また、無駄な電力消費を極力抑える観点から、上記構成の電子機器において、前記蓋が閉じている状態である場合には、前記照明調整部が前記照明用光源を消灯させ、前記蓋が開いている状態で機器周囲が所定の明るさ以上である場合には、前記照明調整部が前記照明用光源を消灯させる構成（第２の構成）とすることが望ましい。
【００１２】
また、機器周囲が暗い状況下で作業者が前記光源から照射された光をまぶしいと感じその光が作業の妨げになると感じることを防止する観点から、上記いずれかの構成の電子機器において、前記照度センサーの出力に応じて前記光源の輝度を調整する調整部を備え、前記調整部が前記筐体の内部に収納され、前記蓋が開いている状態で機器周囲が所定の明るさ未満である場合には、前記蓋が閉じている状態である場合に比べて、前記照度センサーによって検知される照度が小さくなり、前記調整部が前記光源の輝度を低くすることが望ましい。
【００１３】
また、前記蓋が開いている状態で機器周囲が所定の明るさ未満である場合に、前記照度センサーによって検知される照度が前記照明用光源から照射された光の影響を受けて変動することを確実に防止する観点から、上記第１または第２の構成の電子機器において、前記蓋が開いている状態において前記照明用光源から照射された光が前記照度センサーに入射することを防止する部材を前記筐体の内部に設けることが望ましい。
【発明の効果】
【００１４】
本発明に係る電子機器は、開口部を有する筐体と、前記開口部を開閉可能な蓋と、電子回路と、照度センサーと、機器稼働中は常時点灯する光源と、前記電子回路を調整するための操作部と、前記操作部を照明するための照明用光源と、前記照度センサーの出力に応じて前記照明用光源の輝度を調整する照明調整部とを備え、前記電子回路、前記光源、前記照度センサー、前記操作部、前記照明用光源、前記照明調整部が前記筐体の内部に収納され、前記蓋が閉じている状態である場合には、前記蓋が開いている状態で機器周囲が所定の明るさ未満である場合に比べて、前記照度センサーによって検知される照度が大きくなり、前記照明調整部が前記照明用光源の輝度を低くし、前記蓋が開いている状態で機器周囲が所定の明るさ以上である場合には、前記蓋が開いている状態で機器周囲が所定の明るさ未満である場合に比べて、前記照度センサーによって検知される照度が大きくなり、前記照明調整部が前記照明用光源の輝度を低くする構成である。
【００１５】
このような構成によると、前記蓋が開いている状態で機器周囲が所定の明るさ未満である場合には、前記照明用光源の輝度が高くなるので、夜間や暗い所でも調整作業を効率的に行うことができる。
【００１６】
また、このような構成によると、特許文献１で提案されている中継増幅器（ブースター）のように蓋が開放されたことを検知する検知手段と光センサーとを別個に設ける構成にはならず、尚かつ、前記蓋が閉じている状態である場合、及び、前記蓋が開いている状態で機器周囲が所定の明るさ以上である場合には、前記照明用光源の輝度が低くなるので、部品点数を増加させることなく無駄な電力消費を抑えることができる。
【図面の簡単な説明】
【００１７】
【図１】本発明の一実施形態に係るブースターの概略構成例を示す正面図である。
【図２】図１に示す本発明の一実施形態に係るブースターの要部ブロック図である。
【図３】図１に示す本発明の一実施形態に係るブースターの概略動作を示すフローチャートである。
【図４】図１を蓋が閉じている状態にした場合のＡＡ部分断面図である。
【図５】図１のＡＡ部分断面図である。
【図６】図１に示す本発明の一実施形態に係るブースターの他の要部ブロック図である。
【図７】図１に示す本発明の一実施形態に係るブースターの他の概略動作を示すフローチャートである。
【発明を実施するための形態】
【００１８】
本発明の実施形態について図面を参照して以下に説明する。本発明は、開口部を有する筐体と、前記開口部を開閉可能な蓋とを備え、前記筐体が電子回路を内部に収納する電子機器全般に適用することができるが、ここでは、当該電子機器の一例であるブースターに本発明を適用した場合を例に挙げて説明する。
【００１９】
＜＜本発明の一実施形態に係るブースターの概略構成＞＞
まず、本発明の一実施形態に係るブースターの概略構成について図１を参照して説明する。図１は、本発明の一実施形態に係るブースターの概略構成例を示す正面図であって、ブースターの蓋が開いている状態を図示している。図１に示す本発明の一実施形態に係るブースターは、開口部を有する筐体１と、前記開口部を開閉可能な蓋２とを備える。筐体１の下面からは各種端子Ｔ１〜Ｔ４が突出している。
【００２０】
筐体１は、電子回路（図示せず）と、照度センサー３と、パイロットランプ用ＬＥＤ（Light Emitting Diode）４と、照明用ＬＥＤ５（図２参照）と、前記電子回路を調整するための操作部を構成するボリューム６及びスイッチ７と、照度判定部１１（図２参照）と、パイロットランプ用ＬＥＤ駆動部１２（図２参照）と、照明用ＬＥＤ駆動部１３（図２参照）とが実装されている電子回路基板８を内部に収納している。前記電子回路は、例えば、増幅回路や、ブースターの動作状態をチェックしそのチェックした情報を外部に伝送するためのステータスモニタ回路を含むようにしてもよい。ボリューム６は、例えば、下り信号や上り信号のレベル、チルト特性等を調整するための調整ボリュームである。スイッチ７は、例えば、下り信号、上り信号の減衰量を切り換える切換スイッチである。
【００２１】
また、筐体１は、シールド板９も内部に収納している。シールド板９は、電子回路基板８に対向するように電子回路基板８と蓋２との間に設けられる。シールド板９には、照度センサー３、パイロットランプ用ＬＥＤ４、ボリューム６、及びスイッチ７に対応する位置に開口部が設けられている。
【００２２】
一方、蓋２には、蓋２が閉じている状態で照度センサー３及びパイロットランプ用ＬＥＤ４の周囲を囲む遮光板１０が設けられている。
【００２３】
＜＜本発明の一実施形態に係るブースターの概略動作＞＞
次に、図１に示す本発明の一実施形態に係るブースターの概略動作について図２〜図５を参照して説明する。図２は、図１に示す本発明の一実施形態に係るブースターの要部ブロック図である。なお、図２（ａ）は蓋２が閉じている状態を示しており、図２（ｂ）は蓋２が開いている状態を示している。図３は、図１に示す本発明の一実施形態に係るブースターの概略動作を示すフローチャートである。図４は、図１を蓋２が閉じている状態にした場合のＡＡ部分断面図である。図５は、図１のＡＡ部分断面図である。
【００２４】
図１に示す本発明の一実施形態に係るブースターの稼働中、パイロットランプ用ＬＥＤ駆動部１２は、パイロットランプ用ＬＥＤ４に駆動電流を供給してパイロットランプ用ＬＥＤ４を駆動する（図２参照）。これにより、パイロットランプ用ＬＥＤ４は、図１に示す本発明の一実施形態に係るブースターの稼働中、常時点灯する。
【００２５】
また、図１に示す本発明の一実施形態に係るブースターに電源が投入され、図１に示す本発明の一実施形態に係るブースターが稼動すると、図３に示すフロー動作が開始される。図３に示すフロー動作が開始されると、照度判定部１１（図２参照）は、照度センサー３によって検知された照度が所定値以上であるか否かを判定する（ステップＳ１０）。照度判定部１１は、例えば、内蔵メモリに前記所定値を予め記憶しているＭＣＵ（Micro Controller Unit）で構成してもよく、また、例えば、前記所定値に対応する定電圧を出力する定電圧源と、照度センサー３の出力と前記定電圧源の出力とを比較するコンパレータとで構成してもよい。
【００２６】
照度センサー３によって検知された照度が所定値以上でなければ（ステップＳ１０のＮＯ）、照度判定部１１は、照明用ＬＥＤ駆動部１３が照明用ＬＥＤ５に駆動電流を供給して照明用ＬＥＤ５を駆動するように、照明用ＬＥＤ駆動部１３を制御し（ステップＳ３０）、その後ステップＳ１０に戻る。これにより、照明用ＬＥＤ５が点灯する。
【００２７】
一方、照度センサー３によって検知された照度が所定値以上であれば（ステップＳ１０のＹＥＳ）、照度判定部１１は、照明用ＬＥＤ駆動部１３が照明用ＬＥＤ５を駆動しないように、照明用ＬＥＤ駆動部１３を制御し（ステップＳ２０）、その後ステップＳ１０に戻る。これにより、照明用ＬＥＤ５が消灯する。
【００２８】
＜蓋２が閉じている状態での動作＞
蓋２が閉じている状態においては、図１に示す本発明の一実施形態に係るブースターの稼働中常時点灯するパイロットランプ用ＬＥＤ４から照射された光が、蓋２の内面で反射し、照度センサー３の検知部に入射する（図２（ａ）及び図４参照）。この場合に照度センサー３によって検知された照度が所定値以上であるようにし、蓋２が閉じているときにはブースターの周囲の明るさに関係なく照明用ＬＥＤ５が消灯するようにする。このような動作により、蓋２が閉じている状態において照明用ＬＥＤ５が点灯することを防止し、無駄な電力消費を抑えることができる。なお、蓋２の内面の反射位置（蓋２が閉じている状態においてパイロットランプ用ＬＥＤ４から照射された光が反射する位置）に、光の反射率が高い反射板を設けるようにしていもよい。また、パイロットランプ用ＬＥＤ４から照射された光の一部は蓋２を透過するように蓋２に表示窓（不図示）を設け、パイロットランプ用ＬＥＤ４の点灯をブースターの外部から視認できるようにしてもよい。
【００２９】
＜蓋２が開いている状態でブースターの周囲が暗いときの動作＞
蓋２が開いている状態においては、図１に示す本発明の一実施形態に係るブースターの稼働中常時点灯するパイロットランプ用ＬＥＤ４から照射された光が、蓋２で反射しないため、照度センサー３の検知部に入射しない（図２（ｂ）及び図５参照）。そして、ブースターの周囲が暗いときは、照度センサー３の検知部に入射する外乱光の輝度が低いので、照度センサー３によって検知された照度が所定値未満になり、照明用ＬＥＤ５が点灯する。このような動作により、蓋２が開いている状態でブースターの周囲が暗いときは、照明用ＬＥＤ５の点灯でボリューム６およびスイッチ７が照明されるので、夜間や暗い所でも調整等の作業を効率的に行うことができる。
【００３０】
なお、照度センサー３及びパイロットランプ用ＬＥＤ４を囲む遮光板１４が電子回路基板８に設けられている。蓋２が開いている状態において照明用ＬＥＤ５から照射された光が照度センサー３の検知部に入射することを、シールド板９及び遮光板１４によって防止している。
【００３１】
仮に、遮光板１４を設けずに、蓋２が開いている状態において照度センサー３の検知部に照明用ＬＥＤ５から照射された光が入射可能な構成にすることを考えると、蓋２が開いている状態でブースターの周囲が暗いとき、照明用ＬＥＤ５から照射された光が照度センサー３の検知部に入射して、その結果照明用ＬＥＤ５が消灯し、その後、照明用ＬＥＤ５から光が照射されなくなり、その結果照明用ＬＥＤ５が点灯するというサイクルが繰り返されるおそれがある。このようなサイクルの発生を確実に防止するために、本実施形態では遮光板１４を設けている。
【００３２】
＜蓋２が開いている状態でブースターの周囲が明るいときの動作＞
蓋２が開いている状態においては、図１に示す本発明の一実施形態に係るブースターの稼働中常時点灯するパイロットランプ用ＬＥＤ４から照射された光が、蓋２で反射しないため、照度センサー３の検知部に入射しない（図２（ｂ）及び図５参照）。そして、ブースターの周囲が明るいときは、照度センサー３の検知部に入射する外乱光の輝度が高いので、照度センサー３によって検知された照度が所定値以上になり、照明用ＬＥＤ５が消灯する。このような動作により、蓋２が開いている状態でブースターの周囲が明るいときは、照明用ＬＥＤ５が点灯することを防止し、無駄な電力消費を抑えることができる。
【００３３】
＜＜その他＞＞
以上、本発明に係る実施形態について説明したが、本発明の範囲はこれに限定されるものではなく、発明の主旨を逸脱しない範囲で種々の変更を加えて実行することができる。
【００３４】
例えば、無駄な電力消費の抑制効果は若干劣ることになるが、図３中のステップＳ２０において、照明用ＬＥＤ５を消灯させるのではなく、ステップＳ３０での輝度よりも低い輝度で照明用ＬＥＤ５を点灯させるようにしてもよい。
【００３５】
また、上述した図１に示す本発明の一実施形態に係るブースターにおいては、ブースターの周囲が暗い状況下で蓋２を開けボリューム６やスイッチ７を操作して調整等の作業を行うときに、作業者がパイロットランプ用ＬＥＤ４から照射された光をまぶしいと感じその光が作業の妨げになると感じることがあった。
【００３６】
そこで、例えば、図１に示す本発明の一実施形態に係るブースターの要部ブロックを図２から図６に変更し、図１に示す本発明の一実施形態に係るブースターの概略動作を図３から図７に変更してもよい。なお、図６（ａ）は蓋２が閉じている状態を示しており、図６（ｂ）は蓋２が開いている状態を示している。当該変更後の概略動作について以下に説明する。
【００３７】
図１に示す本発明の一実施形態に係るブースターに電源が投入され、図１に示す本発明の一実施形態に係るブースターが稼動すると、パイロットランプ用ＬＥＤ駆動部１２がパイロットランプ用ＬＥＤ４に駆動電流を供給してパイロットランプ用ＬＥＤ４を駆動した上で（図６参照）、図７に示すフロー動作が開始される。図７に示すフロー動作が開始されると、照度判定部１１（図６参照）は、照度センサー３によって検知された照度が所定値以上であるか否かを判定する（ステップＳ１０）。
【００３８】
照度センサー３によって検知された照度が所定値以上でなければ（ステップＳ１０のＮＯ）、照度判定部１１は、照明用ＬＥＤ駆動部１３が照明用ＬＥＤ５に駆動電流を供給して照明用ＬＥＤ５を駆動するように、照明用ＬＥＤ駆動部１３を制御し、さらに、パイロットランプ用ＬＥＤ駆動部１２がパイロットランプ用ＬＥＤ４を駆動しないように、パイロットランプ用ＬＥＤ駆動部１２を制御し（ステップＳ３５）、その後ステップＳ１０に戻る。これにより、照明用ＬＥＤ５が点灯し、図１に示す本発明の一実施形態に係るブースターの稼働中に常時点灯するパイロットランプ用ＬＥＤ４が例外的に消灯する。
【００３９】
一方、照度センサー３によって検知された照度が所定値以上であれば（ステップＳ１０のＹＥＳ）、照度判定部１１は、照明用ＬＥＤ駆動部１３が照明用ＬＥＤ５を駆動しないように、照明用ＬＥＤ駆動部１３を制御し、さらに、パイロットランプ用ＬＥＤ駆動部１２がパイロットランプ用ＬＥＤ４に駆動電流を供給してパイロットランプ用ＬＥＤ４を駆動するように、パイロットランプ用ＬＥＤ駆動部１２を制御し（ステップＳ２５）、その後ステップＳ１０に戻る。これにより、照明用ＬＥＤ５が消灯し、パイロットランプ用ＬＥＤ４が点灯する。
【００４０】
このような動作によると、ブースターの周囲が暗い状況下で蓋２を開けボリューム６やスイッチ７を操作して調整等の作業を行うときに、パイロットランプ用ＬＥＤ４が点灯しないので、作業者がパイロットランプ用ＬＥＤ４から照射された光をまぶしいと感じることがなくなる。なお、ステップＳ３５において、パイロットランプ用ＬＥＤ４を消灯させるのではなく、ブースターの稼動開始時及びステップＳ２５での輝度よりも低い輝度でパイロットランプ用ＬＥＤ４を点灯させるようにしてもよい。また、ステップＳ２５において、照明用ＬＥＤ５を消灯させるのではなく、ステップＳ３５での輝度よりも低い輝度で照明用ＬＥＤ５を点灯させるようにしてもよい。
【００４１】
上記のような変更を実施する場合、遮光板１０及び１４を設けないようにする。そして、蓋２が閉じている状態で照明用ＬＥＤ５が点灯している場合に、照明用ＬＥＤ５から照射された光が蓋２で反射し照度センサー３の検知部に入射し、照度センサー３によって検知された照度が所定値以上となるように所定値や各部品の配置等を設定する。これにより、ブースターの周囲が暗いときに蓋２が開いている状態から閉じている状態に移行した際に、ステップＳ３５をループする状態からステップＳ２５をループする状態に移行することができる。また、蓋２が閉じている状態でパイロットランプ用ＬＥＤ４が点灯している場合に、パイロットランプ用ＬＥＤ４から照射された光が蓋２で反射し照度センサー３の検知部に入射し、照度センサー３によって検知された照度が所定値以上となるように所定値や各部品の配置等を設定する。これにより、ブースターの周囲が明るいときに蓋２が開いている状態から閉じている状態に移行した際に、ステップＳ２５をループする状態を維持することができる。さらに、蓋２が開いている状態でブースターの周囲が暗いために照明用ＬＥＤ５が点灯している場合に、照明用ＬＥＤ５から照射された光の影響で照度センサー３によって検知された照度が所定値以上となることがないように所定値や各部品の配置等を設定する。これにより、蓋２が開いている状態でブースターの周囲が暗いときに、ステップ３５からステップＳ２５に移行するおそれがなくなる。
【００４２】
また、本実施形態では、光源にＬＥＤを用いたが、ＬＥＤ以外の光源を用いるようにしてもよい。
【００４３】
また、本実施形態では、パイロットランプの光を利用して蓋の開閉を検知したが、パイロットランプ以外の光源であって尚かつ電子機器稼働中は常時点灯する光源の光を利用して蓋の開閉を検知するようにしてもよい。
【符号の説明】
【００４４】
１  筐体
２  蓋
３  照度センサー
４  パイロットランプ用ＬＥＤ
５  照明用ＬＥＤ
６  ボリューム
７  スイッチ
８  電子回路基板
９  シールド板
１０  遮光板
１１  照度判定部
１２  パイロットランプ用ＬＥＤ駆動部
１３  照明用ＬＥＤ駆動部
１４  遮光板
Ｔ１〜Ｔ４  端子
【図１】
2011160102.tif 000003
【図２】
2011160102.tif 000004
【図３】
2011160102.tif 000005
【図４】
2011160102.tif 000006
【図５】
2011160102.tif 000007
【図６】
2011160102.tif 000008
【図７】
2011160102.tif 000009